(57)【要約】【課題】機器毎に異なるインターフェイスを、ユーザが複雑な操作を行うことなく、きわめて簡単にインターフェイスのカスタマイズを行うこと。【解決手段】  本発明のリモートコントロール装置１０６は、操作すべき機器インターフェイス情報を予め設定されたインターフェイス情報の形式に変換した新たなインターフェイス情報を出力するコード・アイコン割当手段１０３と、新たなインターフェイス情報を表示し、ユーザに選択された機器の操作内容を出力する表示手段１０４と、選択された操作内容に対応する制御信号を送信する送信手段１０１とを含む構成であり、機器のインターフェイス情報をユーザの使用状況に応じたインターフェイス情報に変換を行う。【選択図】図１
2005142905.tif 000002
【特許請求の範囲】
【請求項１】
操作すべき機器のインターフェイス情報を受信する受信手段と、予め設定されたインターフェイス情報を記憶する記憶手段と、前記操作すべき機器インターフェイス情報を前記予め設定されたインターフェイス情報の形式に変換した新たなインターフェイス情報を出力するコード・アイコン割当手段と、前記新たなインターフェイス情報を表示し、ユーザに選択された前記機器の操作内容を出力する表示手段と、前記選択された操作内容に対応する制御信号を送信する送信手段と、前記受信手段、前記記憶手段、前記コード・アイコン割当手段及び前記表示手段の動作を制御するリモートコントロール制御手段とを含むリモートコントロール装置。
【請求項２】
コード・アイコン割当手段は、操作すべき機器インターフェイス情報の形式と予め設定されたインターフェイス情報の形式とを比較し、一致する項目と一致しない項目とに分類された新たなインターフェイス情報を出力し、表示手段は、更に、前記一致しない項目を強調表示する請求項１記載のリモートコントロール装置。
【請求項３】
コード・アイコン割当手段は、更に、予め設定されたインターフェイス情報の形式を、ユーザからの変更指示に応じて変更する請求項１又は２記載のリモートコントロール装置。
【請求項４】
入力されたユーザの音声を電子信号に変換される音声入力手段と、前記音声の電子信号からユーザの音声を認識する音声認識手段とを更に含む請求項１ないし３のいずれか記載のリモートコントロール装置。
【請求項５】
機器の機能を説明するガイド文を合成する音声合成手段と、合成された音声を出力する音声出力手段とを更に含む請求項１ないし４のいずれか記載のリモートコントロール装置。
【請求項６】
インターフェイス情報が蓄積されている機器情報蓄積手段と、前記リモートコントロール装置から送信される前記インターフェイス情報の要求信号と機器を制御する制御信号とを受信し、前記インターフェイス情報を送信する機器側送受信手段と、機器本来の機能、前記機器情報蓄積手段及び機器側送受信手段を制御する機器制御手段とを含む機器と、請求項１ないし５のいずれか記載のリモートコントロール装置とを有するリモートコントロールシステム。
【請求項７】
機器は、機器の動作状態に関する機器動作情報を蓄積する機器動作情報蓄積手段を更に含み、前記機器は、機器の稼動状況を送信し、前記リモートコントロール装置の表示手段は、前記機器の稼動状況を表示する請求項６記載のリモートコントロールシステム。
【請求項８】
リモートコントロール装置は、操作履歴を蓄積する操作履歴蓄積手段と、前記操作履歴を解析して利用頻度及び操作一連を抽出し、前記利用頻度を用いて、操作項目の設定値を変更し、更に、前記利用頻度の高い操作一連は、新たな操作項目を作成する操作履歴解析提案手段とを、更に、含む請求項６又は７記載のリモートコントロールシステム。
【請求項９】
複数の機器のインターフェイス情報が蓄積された蓄積手段と、前記機器、リモートコントロール装置及び蓄積手段を接続するネットワークを更に含み、リモートコントロール装置は、予め設定されたインターフェイス情報を前記蓄積手段から取得し、記憶する請求項６ないし８のいずれか記載のリモートコントロールシステム。
【発明の詳細な説明】
【技術分野】
【０００１】
本発明は、家庭電化製品及び公共端末等の機器の遠隔操作に用いられるリモートコントロールシステムに関するものである。
【背景技術】
【０００２】
家庭電化製品を遠隔操作するためのリモートコントローラ（以下リモコン）は、一般に広く普及しているが、機器毎に別々のリモコンが必要となるため、家庭内にはリモコンがあふれ、リモコンの所在が分からなくなることもある。また、リモコン以外に機器に直接準備されたユーザインターフェイスも含めて、操作が分かり難く、全ての機能を利用していない場合も多い。これらの問題点を解決するために、単一のリモコンに複数の操作機能を持たせるだけでなく、新たな機器の操作機能も追加することができる学習リモコン等が利用されている。
【０００３】
しかしながら、学習リモコンの設定やカスタマイズに関しては、学習リモコン内に機器の操作画面を保持している場合には、リモコンのコードを学習させるだけでよいが、操作画面のカスタマイズはできない。また、学習リモコン内に機器の操作画面を保持していない場合、もしくは、保持していたとしてもカスタマイズして利用したい場合には、予めパソコン等を用いて操作画面を作成する必要があり、パソコンやリモコンに関する相当な知識が必要となる。また、学習リモコンでは、既に設定した機器の操作に関しては利用可能であるが、新しい機器に更新した場合には、再度の設定が必要であり、設定機種以外に対しての利用は、不可能である（特許文献１参照）。
【特許文献１】特開２００１−１６９３７０号公報（第６−９頁、第２図）
【発明の開示】
【発明が解決しようとする課題】
【０００４】
本発明は、かかる点に鑑みてなされたもので、機器毎に異なるインターフェイスを、ユーザが複雑な操作を行うことなく、きわめて簡単にインターフェイスのカスタマイズを行うことを可能とするものであり、また、機器が更新された場合でも、今まで設定されていたインターフェイスを利用して、新しい機器を操作することを可能とする。
【０００５】
更に、本発明では、洗濯機などのように本来リモコンを持たない機器のユーザインターフェイスについても、操作される機器に制御コマンドを受信する機能を追加することで、カスタマイズを可能にし、色々な家庭電化製品を個人に使い易い状態で利用することを可能とするものである。
【課題を解決するための手段】
【０００６】
前記従来の課題を解決するために、本発明のリモートコントロール装置は、操作すべき機器のインターフェイス情報を受信する受信手段と、予め設定されたインターフェイス情報を記憶する記憶手段と、前記操作すべき機器インターフェイス情報を前記予め設定されたインターフェイス情報の形式に変換した新たなインターフェイス情報を出力するコード・アイコン割当手段と、前記新たなインターフェイス情報を表示し、ユーザに選択された前記機器の操作内容を出力する表示手段と、前記選択された操作内容に対応する制御信号を送信する送信手段と、前記受信手段、前記記憶手段、前記コード・アイコン割当手段及び前記表示手段の動作を制御するリモートコントロール制御手段とを含む構成であり、機器のインターフェイス情報をユーザの使用状況に応じたインターフェイス情報に変換を行う。
【発明の効果】
【０００７】
以上のように、本発明によれば、機種の変更・更新があった場合でも、又は、通常使用していない機器を利用する場合でも、使用していた機器や使い慣れた機器の操作コード変換テーブルを作成することにより、使い慣れた操作パネルで機器の制御を行うことができる。
【０００８】
更に、文字サイズや配色等もユーザの特性に応じてカスタマイズすることにより、使いやすい操作パネルを設定することができる。
【発明を実施するための最良の形態】
【０００９】
本発明の第１の発明に記載の発明は、操作すべき機器のインターフェイス情報を受信する受信手段と、予め設定されたインターフェイス情報を記憶する記憶手段と、前記操作すべき機器インターフェイス情報を前記予め設定されたインターフェイス情報の形式に変換した新たなインターフェイス情報を出力するコード・アイコン割当手段と、前記新たなインターフェイス情報を表示し、ユーザに選択された前記機器の操作内容を出力する表示手段と、前記選択された操作内容に対応する制御信号を送信する送信手段と、前記受信手段、前記記憶手段、前記コード・アイコン割当手段及び前記表示手段の動作を制御するリモートコントロール制御手段とを含むリモートコントロール装置としたものであり、操作すべき機器のインターフェイス情報をユーザの使用状況に応じたインターフェイス情報に変換することができるという作用を有する。
【００１０】
本発明の第２の発明に記載の発明は、コード・アイコン割当手段は、操作すべき機器インターフェイス情報の形式と予め設定されたインターフェイス情報の形式とを比較し、一致する項目と一致しない項目とに分類された新たなインターフェイス情報を出力し、表示手段は、更に、前記一致しない項目を強調表示する請求項１記載のリモートコントロール装置としたものであり、インターフェイス情報を変換する場合に、削除される項目、追加される項目を区別することで、ユーザの負担を軽減することができるという作用を有する。
【００１１】
本発明の第３の発明に記載の発明は、コード・アイコン割当手段は、更に、予め設定されたインターフェイス情報の形式を、ユーザからの変更指示に応じて変更する請求項１又は２記載のリモートコントロール装置としたものであり、ユーザは、インターフェイス情報をユーザの使用状況に合わせて、再構成することができるという作用を有する。
【００１２】
本発明の第４の発明に記載の発明は、入力されたユーザの音声を電子信号に変換される音声入力手段と、前記音声の電子信号からユーザの音声を認識する音声認識手段とを更に含む請求項１ないし３のいずれか記載のリモートコントロール装置としたものであり、機器に音声入力機能がなくとも、音声により機器を操作することができるという作用を有する。
【００１３】
本発明の第５の発明に記載の発明は、機器の機能を説明するガイド文を合成する音声合成手段と、合成された音声を出力する音声出力手段とを更に含む請求項１ないし４のいずれか記載のリモートコントロール装置としたものであり、機器に音声出力機能がなくとも、音声により機器を説明するガイド文を出力することができるという作用を有する。
【００１４】
本発明の第６の発明に記載の発明は、インターフェイス情報が蓄積されている機器情報蓄積手段と、前記リモートコントロール装置から送信される前記インターフェイス情報の要求信号と機器を制御する制御信号とを受信し、前記インターフェイス情報を送信する機器側送受信手段と、機器本来の機能、前記機器情報蓄積手段及び機器側送受信手段を制御する機器制御手段とを含む機器と、請求項１ないし５のいずれか記載のリモートコントロ
ール装置とを有するリモートコントロールシステムとしたものであり、操作すべき機器のインターフェイス情報をユーザの使用状況に応じたインターフェイス情報に変換することができるという作
用を有する。
【００１５】
本発明の第７の発明に記載の発明は、機器は、機器の動作状態に関する機器動作情報を蓄積する機器動作情報蓄積手段を更に含み、前記機器は、機器の稼動状況を送信し、前記リモートコントロール装置の表示手段は、前記機器の稼動状況を表示する請求項６記載のリモートコントロールシステムとしたものであり、機器とリモートコントロール装置との距離が離れている場合であっても、ユーザは、機器の動作状況を確認することができるという作用を有する。
【００１６】
本発明の第８の発明に記載の発明は、リモートコントロール装置は、操作履歴を蓄積する操作履歴蓄積手段と、前記操作履歴を解析して利用頻度及び操作一連を抽出し、前記利用頻度を用いて、操作項目の設定値を変更し、更に、前記利用頻度の高い操作一連は、新たな操作項目を作成する操作履歴解析提案手段とを、更に、含む請求項６又は７記載のリモートコントロールシステムとしたものであり、ユーザの使用履歴をインターフェイス情報に反映することができるという作用を有する。
【００１７】
本発明の第９の発明に記載の発明は、複数の機器のインターフェイス情報が蓄積された蓄積手段と、前記機器、リモートコントロール装置及び蓄積手段を接続するネットワークを更に含み、リモートコントロール装置は、予め設定されたインターフェイス情報を前記蓄積手段から取得し、記憶する請求項６ないし８のいずれか記載のリモートコントロールシステムとしたものであり、ユーザは、複数のインターフェイス情報から最適なインターフェイス情報を選択することができるという作用を有する。
【００１８】
以下、本発明の実施の形態について図面を参照して説明する。
【００１９】
（実施の形態１）
図１は、本発明の実施の形態によるリモートコントロールシステムの構成を示す図である。リモートコントロール装置１０６は、表示手段１０４、リモートコントロール側送受信手段１０１、記憶手段１０２、コード・アイコン割当手段１０３及びリモートコントロール制御手段１０５を含む構成である。
【００２０】
ここで、表示手段１０４は、機器を制御するための情報を表示するものであり、リモートコントロール側送受信手段１０１は、機器２０４に情報を送受信するものであり、記憶手段１０２は、機器情報を記録するものであり、コード・アイコン割当手段１０３は、機器２０４を制御するためのコードと、機器２０４の動作を決定する操作アイコンの配置とを、ユーザの希望に合わせて割り当てるものであり、リモートコントロール制御手段１０５は、表示手段１０４、リモートコントロール側送受信手段１０１、記憶手段１０２を制御するものである。機器２０４は、機器情報蓄積手段２０１、機器側送受信手段２０２及び機器制御手段２０３を含む構成である。
【００２１】
ここで、機器２０４は、リモートコントロール装置１０６の制御対象となる、洗濯機、ＶＴＲ等の家電製品、ＡＴＭ、公共端末等の公共機器等であり、機器情報蓄積手段２０１は、機器の種類、機能、メーカ、品番、家庭内ローカルネットワーク内でのアドレス等機器に関する情報を保持するものであり、機器側送受信手段２０２は、リモートコントロール装置１０６との情報の送受信、家庭内ローカルネットワークとの情報の送受信を行うものであり、機器制御手段２０３は、機器２０４が、洗濯機ならば、洗濯に関する諸条件の設定や洗濯の実行等、機器２０４の本来の機能を制御し、更に、機器情報蓄積手段２０１
、機器側送受信手段２０２を制御するものである。また、機器２０４は、機器情報蓄積手段２０１、機器側送受信手段２０２、機器制御手段２０３を含む構成である。
【００２２】
次に動作について説明する。まず、リモートコントロール制御手段１０５は、制御すべき機器のインターフェイスに関する情報を取得するため、インターフェイス要求信号をリモートコントロール側送受信手段１０１に出力する。次に、リモートコントロール側送受信手段１０１は、インターフェイス要求信号を制御すべき機器２０４に送信する。
【００２３】
次に、機器側送受信手段２０２は、リモートコントロール装置１０６から送信されたインターフェイス要求信号を受信し、機器制御手段２０３に出力する。次に、機器制御手段２０３は、機器情報蓄積手段２０１からインターフェイスに関する情報を機器側送受信手段２０２に出力する。次に、機器側送受信手段２０２は、インターフェイスに関する情報をリモートコントロール装置１０６に送信する。
【００２４】
次に、リモートコントロール側送受信手段１０１は、受信したインターフェイスに関する情報を記憶手段１０２に蓄積する。
【００２５】
ここで、図２に機器２０４が洗濯機である場合のインターフェイスに関する情報を示す。インターフェイスに関する情報は、機器本体に関する情報である機器情報と、設置された場所、例えば、家庭内ネットワークに関するローカルネットワーク情報と、機器の操作に関する情報である操作情報とから構成されている。
【００２６】
まず、機器情報は、機器の種類、メーカ、品番、機器に関する情報を取得するアドレス（ＵＲＬ）等を含む構成である。ローカルネットワーク情報は、家庭内ネットワークでの機器番号、その機器のローカルＵＲＬ等を含む構成である。また、操作情報は、制御すべき機器２０４である洗濯機の基本的な操作に関する基本動作と、洗濯の条件が記述された洗濯条件とを含む構成である。
【００２７】
また、図３（ａ）に、洗濯機の操作アイコンの配置を示し、図３（ｂ）及び図３（ｃ）に、リモートコントロール装置１０６の操作アイコンの配置を示す。
【００２８】
次に、コード・アイコン割当手段１０３は、操作情報に含まれる動作コードとボタン設定値とを、リモートコントロール装置１０６において設定されている動作コード及びアイコン設定値に割当を行う。例えば、基本動作において、アイコン「開始／一時停止」３０１−１、３０１−２は、図３（ａ）及び図３（ｂ）に示すように、洗濯機とリモートコントロール装置１０６の両方に含まれるため、動作コードについては、洗濯機の「ｃｏｄｅ−１」は、リモートコントロール装置１０６の「ｃｏｄｅ−Ａ」に割り当てられる。これに対して、電源に関するアイコンは、洗濯機では、アイコン「電源：入」３０２とアイコン「電源：切」３０３と設定され、リモートコントロール装置１０６では、アイコン「電源：入／切」３０４と設定されているため、動作コードについては、洗濯機の「ｃｏｄｅ−２」は、リモートコントロール装置１０６の「ｃｏｄｅ−Ｂ−１」に割り当てられ、洗濯機の「ｃｏｄｅ−３」は、リモートコントロール装置１０６の「ｃｏｄｅ−Ｂ−２」に割り当てられ、リモートコントロール装置１０６では２つの動作を１つの動作コード「ｃｏｄｅ−２」で制御することになる。なお、アイコン設定値には、アイコンの図形情報及び表示手段１０４上の位置情報が含まれる。
【００２９】
また、図３（ｂ）及び（ｃ）に示すように、操作アイコンの配置は、アイコンの個数が増加することで、使用者には見づらくなるため、アイコンを階層構造として表示することも可能である。図３（ｃ）は、図３（ｂ）の「その他の設定」３０５のアイコンを選択した場合に表示されるアイコンであり、「洗い」、「すすぎ」、「脱水」の設定が可能とな
る。
【００３０】
次に、リモートコントロール制御手段１０５は、コード・アイコン割当手段１０３により作成されたインターフェイスに関する情報を表示手段１０４に表示し、利用者の選択したアイコンに関する動作を、記憶手段１０２に蓄積されているインターフェイスに関する情報を用いて再変換し、機器２０４を制御する信号として、リモートコントロール側送受信手段１０１を介して機器２０４に送信する。
【００３１】
なお、本実施例では、リモートコントロール装置１０６の表示手段１０４が、タッチパネルを用いた構成とすることで、ユーザのアイコン選択を容易にすることができる。また、コード・アイコン割当手段は、タッチパネルを入力手段として用いて、リモートコントロール装置１０６上に表示されるアイコンのカスタマイズを行い、インターフェイスに関する情報を変更することができる。上記のカスタマイズにより、アイコンの文字サイズ、配色、アイコンサイズ、表示位置を、ユーザにあわせることにより、ユーザは実際の機器２０４では読みにくい文字や配色、アイコンサイズを変更することができる。
【００３２】
なお、リモートコントロール装置１０６に設定されている動作コード及びアイコン設定値は、記憶手段１０２に複数蓄積されており、ユーザが好みに応じて選択することが可能である。
【００３３】
また、図４に示すように、リモートコントロール装置１０６をネットワーク４０２に接続することで、様々な動作コード及びアイコン設定値が蓄積されている情報センターから新たな動作コード及びアイコン設定値を入手することも可能である。なお、ネットワーク４０２は無線で接続することも可能である。
【００３４】
また、図５に示すように、機器２０４は、機器の動作状態に関する機器動作情報を蓄積する機器動作情報蓄積手段５０１を含む構成とすることで、機器制御手段５０２から入力される機器５０３の動作上保を、機器側送受信手段２０２を介して、リモートコントロール装置１０６に送信することができ、リモートコントロール装置１０６は、受信した機器動作情報６０１を、リモートコントロール制御手段１０５を介して表示手段１０４に出力することができる。図６に、機器動作情報６０１を表示手段１０４に表示するとともに、機器５０３の動作状態を表示する。
【００３５】
このように、リモートコントロール装置１０６上に機器の動作状態を表示する機能を設けることで、機器５０３とリモートコントロール装置１０６が、離れた場所であっても機器の動作状態を確認することができる。
【００３６】
このように操作パネルに関する情報をネットワークから取得することにより、機器が提供するよりもより使いやすい操作パネルを利用することが可能となる。
【００３７】
（実施の形態２）
本実施の形態では、既にリモートコントロール装置に設定されている制御すべき機器と、機種の異なる機器とを制御する場合について説明する。ここで、機種の異なる機器とは、例えば、自宅以外の知人の家等で家電製品の使用、新製品の購入による機種の入れ替え、通常とは違う場所等でのＡＴＭや公共機器の利用等が考えられる。
【００３８】
図７には、既に、設定されている洗濯機Ａのインターフェイスに関する情報と、新たに設定しようとしている洗濯機Ｂのインターフェイスに関する情報と、リモートコントロール装置１０６に設定されているインターフェイスに関する情報とが示されている。
【００３９】
インターフェイスに関する情報の設定方法について説明する。なお、インターフェイスに関する情報の入手方法は、実施の形態１と同様なため、ここでの説明は省略する。以後、コード・アイコン割当手段について説明する。
【００４０】
まず、コード・アイコン割当手段１０３は、既に設定されている洗濯機Ａの操作情報に合わせて、新たに設定する洗濯機Ｂの操作情報を追加する。ここで、洗濯機Ｂには、「仕上げ乾燥」という動作内容が不足しており、また、「毛布洗い」の動作内容が新規に追加されている。
【００４１】
次に、リモートコントロール装置１０６での設定は、対応する動作内容が不足している場合、及び、新たに動作内容が追加された場合は、アイコン設定値に末尾番号を追加する。ここで、図８に示すように、動作内容が不足している「仕上げ乾燥」８０１は、アイコン設定値を「設置値Ｅ−４−１」と示すことで、アイコン上に斜線を追加し、動作内容が新たに追加された「毛布洗い」８０２は、アイコン設置値を「設置値Ｆ−４−２」と示すことで、文字を拡大し、アイコンの縁取りを行う。これにより、新たな機器と既に設定済みの機器とのインターフェイスに関する情報の差異があるアイコンについては、操作パネルの表示に斜線を引く、文字を大きくする、他のアイコンと異なる色彩等を用いることにより、操作の追加、削除を示すことができる。
【００４２】
このように、本発明によれば、通常使い慣れた機器と異なる機器を使う場合であっても、変換テーブルを作成することにより、通常使い慣れた操作パネルを用いて機器を操作することができ、はじめての機器であっても簡単に使うことができる。
【００４３】
（実施の形態３）
図９は、本発明の実施の形態３によるリモートコントロールシステムの構成を示した図である。本実施の形態では、ユーザの操作履歴を用いて、アイコン設定値を更新し、使用頻度の高いアイコンは、操作メニューの上位階層へ設定、一連の操作手順に対応した新たなアイコンの作成を行い。また、使用頻度が低いアイコンは、使用頻度の低いアイコンを操作メニューの下位階層へ設定、アイコンのグレーアウトへの変色を行うリモートコントロールシステムである。
【００４４】
リモートコントロール装置９０４には、ユーザの操作履歴を記憶する操作履歴記憶手段９０１と、記憶された操作履歴を解析する操作履歴解析選択手段９０２が存在する。
【００４５】
操作履歴記憶手段９０１では、機器の操作記録を保持し、操作履歴解析提案手段９０２では、蓄積された操作履歴を解析し、よく使用される一連の操作手順をひとつのボタンとして表示することや、ほとんど使用しない機能のボタンをグレーアウトする等操作パネルの再構築を図ることができる。
【００４６】
なお、実施の形態３は、実施の形態１のみならず、実施の形態２の構成においても、適応することが可能であり、同様の効果を得ることができる。
【００４７】
このように本発明によれば、通常の操作時の履歴をとることにより、よく使用する機能を使いやすい場所に配置した、使いやすい操作パネルを設定することができる。
【００４８】
（実施の形態４）
図１０は、本発明の実施の形態４によるリモートコントロールシステムの構成を示した図である。実施の形態１によるリモートコントロールシステムに、ユーザの音声が入力され、電子信号に変換される音声入力手段１００１、入力された音声を認識する音声認識手段１００２、音声を合成する音声合成手段１００４及び合成された音声を出力する音声出
力手段１００３を追加した構成である。
【００４９】
以上の構成により、機器に音声入出力機能がない場合でも、リモートコントロール装置１００６を介して音声入力を行うことにより機器２０４の制御を行い、機器２０４の情報やメッセージを音声出力で利用することができる。
【００５０】
また、機器２０４毎に音声入出力機能のカスタマイズを行うのは負担が大きいが、リモートコントロール装置１００６に音声入出力機能を付属することで、カスタマイズの回数を削減することができるため、容易にユーザに最適に調整された音声入出力機能を利用することが可能となる。
【００５１】
なお、本実施の形態４は、実施の形態１のみならず、実施の形態２及び３に適応することでも、同様の効果を得ることができる。
【００５２】
なお、音声出力機能は、機器を変更し、新機能が追加された場合や、ユーザが機能の説明を要求した場合に、機能についての説明ガイド文を、ユーザに出力することも可能である。なお、機能の説明ガイド文は、インターフェイスに関する情報に添付され、記憶手段に蓄積しておくこともできる。
【産業上の利用可能性】
【００５３】
本発明に係るリモートコントロール装置及びリモートコントロールシステムは、機種の変更・更新があった場合でも、又は、通常使用していない機器を利用する場合でも、使用していた機器や使い慣れた機器の操作コード変換テーブルを作成することにより、使い慣れた操作パネルで機器の制御を行うことができ、更に、文字サイズや配色等もユーザの特性に応じてカスタマイズすることにより、使いやすい操作パネルを設定することができる効果を有し、家庭電化製品及び公共端末等の機器の遠隔操作に用いられるリモートコントロールシステム等として有用である。
【図面の簡単な説明】
【００５４】
【図１】本発明第１の実施の形態によるリモートコントロールシステムの構成を示す図
【図２】本発明第１の実施の形態によるリモートコントロールシステムのインターフェイスに関する情報を示す図
【図３】本発明第１の実施の形態によるリモートコントロールシステムのアイコンの配置を示す図
【図４】本発明第１の実施の形態によるリモートコントロールシステムの構成を示す図
【図５】本発明第１の実施の形態によるリモートコントロールシステムの構成を示す図
【図６】本発明第１の実施の形態によるリモートコントロールシステムの画面を示す図
【図７】本発明第２の実施の形態によるリモートコントロールシステムのインターフェイスに関する情報の構成を示す図
【図８】本発明第２の実施の形態によるリモートコントロールシステムのアイコンの配置を示す図
【図９】本発明第３の実施の形態によるリモートコントロールシステムの構成を示す図
【図１０】本発明第４の実施の形態によるリモートコントロールシステムの構成を示す図
【符号の説明】
【００５５】
１０１  リモートコントロール側送受信手段
１０２  記憶手段
１０３  コード・アイコン割当手段
１０４  表示手段
１０５、９０３、１００５  リモートコントロール制御手段
１０６、９０４、１００６  リモートコントロール装置
２０１  機器情報蓄積手段
２０２  機器側送受信手段
２０３  機器制御手段
２０４、５０３  機器
４０１  情報センター
４０２  ネットワーク
５０１  機器動作情報蓄積手段
５０２  機器制御手段
９０１  操作履歴記憶手段
９０２  操作履歴解析提案手段
１００１  音声入力手段
１００２  音声認識手段
１００３  音声出力手段
１００４  音声合成手段
【図１】
2005142905.tif 000003
【図２】
2005142905.tif 000004
【図３】
2005142905.tif 000005
【図４】
2005142905.tif 000006
【図５】
2005142905.tif 000007
【図６】
2005142905.tif 000008
【図７】
2005142905.tif 000009
【図８】
2005142905.tif 000010
【図９】
2005142905.tif 000011
【図１０】
2005142905.tif 000012